(57)【要約】【課題】背面の表示意匠と目視側前面の凸部が互いに重なって目視され、且つ、斜め方向から目視することによって表示意匠が凸部からはみ出して目視されることを、抑えることが可能な計器用表示板を提供する。【解決手段】計器用表示板２は、透光性を有する樹脂基板３と、樹脂基板３の目視側前面３１に一体形成された、透光性を有する凸部４と、樹脂基板３の背面３２に形成された、凸部４より縮小した表示意匠５とを備え、凸部４が表示意匠５を拡大して目視させ、表示意匠５と凸部４が互いに重なって目視されるように構成されている。これにより、背面の表示意匠と目視側前面の凸部が互いに重なって目視され、且つ、斜め方向から目視することによって表示意匠が凸部からはみ出して目視されることを、抑えることができる。【選択図】図３
2008196908.tif 000002
【特許請求の範囲】
【請求項１】
透光性を有する樹脂基板と、
前記樹脂基板の目視側前面に一体形成された、透光性を有する凸部と、
前記樹脂基板の背面に形成された、前記凸部より縮小した表示意匠とを備え、
前記凸部が前記表示意匠を拡大して目視させ、該表示意匠と該凸部が互いに重なって目視されるように構成されていることを特徴とする計器用表示板。
【請求項２】
前記表示意匠は、前記背面に形成された表示層と、該背面に形成された背景層の開口のいずれかであることを特徴とする請求項１に記載の計器用表示板。
【請求項３】
前記表示意匠は、目盛形状を有することを特徴とする請求項２に記載の計器用表示板。
【請求項４】
前記凸部において該凸部の外周側を傾斜面としていることを特徴とする請求項１ないし請求項３のいずれか一項に記載の計器用表示板。
【請求項５】
前記凸部は、凸状の拡大レンズであることを特徴とする請求項１ないし請求項３のいずれか一項に記載の計器用表示板。
【発明の詳細な説明】
【技術分野】
【０００１】
本発明は、樹脂基板と、その目視側前面に凸部とを備えた計器用表示板に関するものである。
【背景技術】
【０００２】
従来より、樹脂基板と、その目視側前面に凸部とを備えた計器用表示板がある。例えば、目盛として凸部を備え、この凸部を個別に発光表示させる計器用表示板が開示されている（特許文献１を参照）。
【０００３】
この計器用表示板の背後に、各凸部に対して個別に光源を設け、光源の光を凸部へ個別に導く導光部を設けている。個別に発光表示する凸部によって、計器用表示板に立体感を持たせることと、計器用表示板を目視する方向によらずに目盛の視認性を向上させることとが可能になる。
【０００４】
また、透過照明される目盛を包含する目視側前面に透明表示部材を設けた計器用表示板が開示されている（特許文献２を参照）。
【０００５】
この計器用表示板の背後に、目盛を透過照明する光源を設け、これにより、目盛が発光表示すると共に、目盛を透過照明した光が透明表示部材の表面を発光表示させる。したがって、目盛と透明表示部材が異なる高さで発光表示することによって、奥行き感および立体感を有した表示が可能になる。
【特許文献１】特開平１１−１０１６６７号公報
【特許文献１】特開２００６−２９２４８５号公報
【発明の開示】
【発明が解決しようとする課題】
【０００６】
特許文献１と特許文献２には記載されていないが、従来より、透光性を有する樹脂基板と、樹脂基板の背面に目盛として形成された表示層と、樹脂基板の目視側前面に一体形成された、透光性を有する凸部とを備え、表示層と凸部が互いに重なって目視されるように構成された計器用表示板が知られている。これにより、奥行き感および立体感を有した表示が可能になるが、計器用表示板を目視する方向を変えると、表示層が凸部からずれて目視されという問題が生じる。
【０００７】
例えば、真上から目視する状態で表示層と凸部が互いに重なって目視されるように構成した場合、斜め方向から凸部と表示層を目視すると、凸部から表示層がはみ出して目視される。このため、計器用表示板の見栄えが低下するという問題が生じる。
【０００８】
この問題は、目盛として形成された表示層を備えた計器用表示板に限らないで、文字等の表示意匠として形成された表示層を備えた計器用表示板においても、また、表示意匠として背景層の開口として形成された背景層を備えた計器用表示板においても、共通する問題である。
【０００９】
本発明は、上記問題点に鑑みてなされたものであり、背面の表示意匠と目視側前面の凸部が互いに重なって目視され、且つ、斜め方向から目視することによって表示意匠が凸部からはみ出して目視されることを、抑えることが可能な計器用表示板を提供することである。
【課題を解決するための手段】
【００１０】
本発明は上記目的を達成するため、以下の技術的手段を採用する。
【００１１】
請求項１に記載の計器用表示板は、透光性を有する樹脂基板と、樹脂基板の目視側前面に一体形成された、透光性を有する凸部と、樹脂基板の背面に形成された、凸部より縮小した表示意匠とを備え、凸部が表示意匠を拡大して目視させ、表示意匠と凸部が互いに重なって目視されるように構成されていることを特徴とする。
【００１２】
この構成では、表示意匠を凸部より縮小させているため、斜め方向から凸部と表示意匠を目視することによって凸部から表示意匠がはみ出して目視されることを、抑えることが可能になる。また、この構成では、凸部が表示意匠を拡大して目視させ、表示意匠と凸部が互いに重なって目視されるように構成されている。この結果、背面の表示意匠と目視側前面の凸部が互いに重なって目視され、且つ、斜め方向から目視することによって表示意匠が凸部からはみ出して目視されることを、抑えることが可能になる。
【００１３】
請求項２に記載の計器用表示板は、表示意匠が、背面に形成された表示層と、背面に形成された背景層の開口のいずれかであることを特徴とする。これにより、表示意匠を簡易に構成できる。
【００１４】
請求項３に記載の計器用表示板は、表示意匠が、目盛形状を有することを特徴とする。これにより、凸部が表示意匠を拡大して目盛として目視させることができる。
【００１５】
請求項４に記載の計器用表示板は、凸部において凸部の外周側を傾斜面としていることを特徴とする。この構成では、傾斜面での光の屈折効果によって表示意匠を拡大して目視させることができるため、上述の効果を得ることができる。
【００１６】
請求項５に記載の計器用表示板は、凸部が、凸状の拡大レンズであることを特徴とする。この構成では、凸状の拡大レンズにより、表示意匠を拡大して目視させることができるため、上述の効果を得ることができる。
【発明を実施するための最良の形態】
【００１７】
以下、本発明による計器用表示板を、自動車に搭載されるコンビネーションメータに適用した場合を例に図面に基づいて説明する。
【００１８】
コンビネーションメータ１は、自動車の運転席前方に配置されて当該自動車に関する各種車両情報を表示する。本実施形態によるコンビネーションメータ１は、図１に示すように、自動車の走行速度を指示する速度計を構成する。
【００１９】
コンビネーションメータ１は、計器用表示板である文字盤２と、加飾リング１１と、文字盤２の目視側前面に沿って回動する指針１０とを備え、文字盤２には文字２１と目盛２２が形成される。文字盤２に対して加飾性を付与する加飾リング１１は、例えば金属調に形成され、文字盤２に固定される。
【００２０】
文字盤２の背後（図２において下側）には、ムーブメント１０ａ、発光ダイオード１２ａ、１２ｂ、ケース１３およびプリント基板１４が配置される。プリント基板１４は、コンビネーションメータ１の電気回路部を形成するものであり、ムーブメント１０ａと発光ダイオード１２ａ、１２ｂは、プリント基板１４に実装される。
【００２１】
ムーブメント１０ａは、たとえば交差コイル式ムーブメント、あるいはステッピングモータ等から構成され、外部からの電気信号（本実施形態によるコンビネーションメータ１においては車速信号）に対応した角度だけシャフト１０ｂを回動させる。文字盤２の略中央部には貫通孔が設けられ、シャフト１０ｂは、文字盤２の貫通孔を通して文字盤２の目視側（図２において上側）へ延出し、指針１０がその先端に固定される。
【００２２】
プリント基板１４には、ムーブメント１０ａを駆動し、発光ダイオード１２ａ，１２ｂの点燈・消燈を制御する制御装置（図示しない）が実装される。制御装置は、例えばマイクロコンピュータ等から構成される。ケース１３は、発光ダイオード１２ａからの光を指針１０へ導いて指針１０を発光表示させ、発光ダイオード１２ｂからの光を文字盤２の背面へ導いて文字盤２を透過照明させる。
【００２３】
以下、文字盤２の目盛２２について説明する。
【００２４】
文字盤２は、図３に示すように、樹脂基板である透光性を有する基板３と、基板３の目視側前面３１に一体形成された、透光性を有する凸部４と、基板３の背面３２に形成された、凸部４より縮小した表示意匠である表示層５とを備える。基板３は、透光性を有する材料、例えば透明なアクリル樹脂やポリカーボネート樹脂等から形成される。
【００２５】
凸部４は、基板３を樹脂成形によって形成する際に基板３に対して一体的に形成され、凸部４の外周側が傾斜面４１として形成される。尚、凸部４の外周側において、加飾リング１１に覆われている部位を、傾斜面として形成していない。
【００２６】
表示層５は、目盛２２の形状を有し、例えば白色で透光性の印刷層として形成され、表示層５の背景を構成する背景層６は、例えば黒色で不透光性の印刷層として形成される。表示層５と背景層６は、スクリーン印刷あるいはホットスタンプ印刷等により形成される。
【００２７】
文字盤２は、傾斜面４１での光の屈折効果によって凸部４が表示層５を拡大して目視させ、表示層５と凸部４が互いに重なって目視されるように構成される。これは、発光ダイオード１２ｂからの光が表示層５を透過照明し、この透過照明光において、傾斜面４１では光路Ｐ１のように表示層５からの光が屈折して目視されるからである。この光の屈折効果によって、凸部４より寸法ΔＬだけ縮小して形成されている寸法Ｌ１の表示層５は、凸部４によって、凸部４の寸法Ｌ２に拡大して目視され、表示層５と凸部４が互いに重なって目視される。
【００２８】
尚、図４において、傾斜面４１の傾斜角度Ｃ、縮小寸法ΔＬ、基板３の板厚Ｔ、および、凸部４（基板３）の屈折率を、最適化設計することによって、表示層５と凸部４とを互いに重なって目視させることができる。一方、平面４２では光路Ｐ２のように表示層５から直進した光が目視されるため、表示層５の外周端Ａを、背面３２において傾斜面４１と重なる領域に配置する必要がある。外周端Ａを、背面３２において平面４２と重なる領域に配置する場合、平面４２内で外周端Ａが目視されて見栄えが低下する。したがって、傾斜角度Ｃ、縮小寸法ΔＬ、板厚Ｔ、および、凸部４の屈折率を、最適化設計することに加えて、縮小寸法ΔＬを寸法Ｌ３より小さく設定する。
【００２９】
ここで、文字盤２では、表示層５を凸部４より縮小させているため、斜め方向から凸部４と表示層を目視することによって凸部４から表示層５がはみ出して目視されることを、抑えることが可能になる。また、目視側前面３１では光路Ｐ３のように表示層５からの光が屈折して目視されるため、凸部４から表示層５がはみ出して目視されることが、より抑えられる。
【００３０】
以上により、文字盤２では、背面３２の表示層５と目視側前面３１の凸部４が互いに重なって目視され、且つ、斜め方向から目視することによって表示層３１が凸部４からはみ出して目視されることを、抑えることが可能になる。また、表示層５と凸部４の重なりによって奥行き感および立体感のある表示が可能になり、透光性を有する凸部４によってクリスタル感のある表示が可能になる。
【００３１】
（変形例）
凸部４は、図３に示す形状に限らないで、図５に示すように、凸状の拡大レンズとして凸部４３を形成することができる。尚、図５においては、図５を見易くするために加飾リング１１を省略している。
【００３２】
凸状の拡大レンズとして形成された凸部４３によって、光路Ｐ４のように表示層５からの光が屈折して目視される。このため、寸法Ｌ５の凸部４３より縮小して形成されている寸法Ｌ４の表示層５は、凸部４３によって、凸部４３の寸法Ｌ５に拡大して目視され、表示層５と凸部４３が互いに重なって目視されるように構成できる。尚、凸部４３には平面４２がないため、図４において縮小寸法ΔＬを寸法Ｌ３より小さく設定するという条件が不要である。
【００３３】
ここで、文字盤２では、表示層５を凸部４３より縮小させているため、上述の場合と同様に、斜め方向から凸部４３と表示層５を目視することによって凸部４３から表示層５がはみ出して目視されることを、抑えることが可能になる。
【００３４】
尚、昼間であれば、太陽光によって表示層５を目視できるため、発光ダイオード１２ｂを消灯した状態でも上述の効果を得ることができる。
【００３５】
また、表示層５を形成しないで、目盛２２の形状を背景層６の開口として設けることも可能である。
【００３６】
また、表示層５または背景層６の開口と凸部４が互いに重なって文字２１として目視されるように構成することも可能である。
【００３７】
以上、本発明による計器用表示板である文字盤２は、透光性を有する樹脂基板である基板３と、基板３の目視側前面３１に一体形成された、透光性を有する凸部４と、基板３の背面３２に形成された、凸部４より縮小した表示意匠である表示層５とを備え、凸部４が表示層５を拡大して目視させ、表示層５と凸部４が互いに重なって目視されるように構成されている。
【００３８】
これにより、背面の表示意匠と目視側前面の凸部が互いに重なって目視され、且つ、斜め方向から目視することによって表示意匠が凸部からはみ出して目視されることを、抑えることが可能な計器用表示板を提供できる。
【００３９】
尚、本発明は、上述の例に限らず、これらの組み合わせや、他の種々の変形例が考えられる。
【図面の簡単な説明】
【００４０】
【図１】図１は、本発明の一実施形態による計器用表示板である文字盤２を備えるコンビネーションメータ１の正面図である。
【図２】図２は、図１中のＩＩ−ＩＩ線断面図である。
【図３】図３は、図２中のＩＩＩ部の拡大図である。
【図４】図４は、図３中のＩＶ部の拡大図である。
【図５】図５は、図３の変形例を示す拡大図である。
【符号の説明】
【００４１】
１  コンビネーションメータ、２  文字盤（計器用表示板）、２１  文字
２２  目盛、３  基板（樹脂基板）、３１  目視側前面、３２  背面
４  凸部、４１  傾斜面、４２  平面、４３  拡大レンズ、５  表示層（表示意匠）
６  背景層、１０  指針、１０a  ムーブメント、１０ｂ  シャフト
１１  加飾リング、１２a，１２ｂ  発光ダイオード、１３  ケース
１４  プリント基板
【図１】
2008196908.tif 000003
【図２】
2008196908.tif 000004
【図３】
2008196908.tif 000005
【図４】
2008196908.tif 000006
【図５】
2008196908.tif 000007